(57)【特許請求の範囲】
【請求項１】
環状部材と、
外周面にＦＰＣ挿入溝を有し、上記環状部材の内側で相対回動しながら進退する合成樹脂の成形品からなる進退筒と、
上記ＦＰＣ挿入溝に挿入されたＦＰＣと、
を有するレンズ鏡筒において、
上記進退筒には、上記ＦＰＣ挿入溝の前端部に位置させて、光軸方向から見たとき該ＦＰＣ挿入溝の前方に位置する遮光リブが一体に形成されていることを特徴とするレンズ鏡筒の遮光構造。
【請求項２】
請求項１記載のレンズ鏡筒の遮光構造において、上記遮光リブは周方向の一端部が上記進退筒に一体に結合された片持ち梁形式の片持ち遮光リブであり、その後面とＦＰＣ挿入溝の前方端面との間に、ＦＰＣ導入スリットを形成しているレンズ鏡筒の遮光構造。
【請求項３】
請求項２記載のレンズ鏡筒の遮光構造において、上記進退筒の前端部には、上記片持ち遮光リブの自由端側に位置させて、光軸方向から見たとき上記ＦＰＣ挿入溝の前方に位置する遮光サブ突起が形成されているレンズ鏡筒の遮光構造。
【請求項４】
請求項１記載のレンズ鏡筒の遮光構造において、上記遮光リブは、両端部が上記進退筒と一体に形成された両持ち遮光リブであり、該両持ち遮光リブの後面と上記ＦＰＣ挿入溝の前端部との間には、上記進退筒を径方向に貫通したＦＰＣ導入穴が形成されているレンズ鏡筒の遮光構造。
【請求項５】
請求項１ないし４のいずれか１項記載のレンズ鏡筒の遮光構造において、上記遮光リブの進退筒の径方向の最大径は、上記進退筒の最大径と同一径以下であり、上記ＦＰＣ挿入溝の底壁の径より大径であるレンズ鏡筒の遮光構造。
【請求項６】
請求項１ないし５のいずれか１項記載のレンズ鏡筒の遮光構造において、上記環状部材は内周面にカム溝を有するカム環であり、このカム環の回転により、上記カム溝の軌跡に従って上記進退筒が光軸方向に移動されるレンズ鏡筒の遮光構造。
【請求項７】
請求項６記載のレンズ鏡筒の遮光構造において、上記遮光リブは、上記カム環のカム溝と周方向位置が一致したときに、迷光がこのカム溝に進入するのを防止するレンズ鏡筒の遮光構造。
【請求項８】
請求項３記載のレンズ鏡筒の遮光構造において、上記環状部材は内周面にカム溝を有するカム環であり、このカム環の回転により、上記カム溝の軌跡に従って上記進退筒が光軸方向に移動され、上記遮光サブ突起は、上記カム環のカム溝と周方向位置が一致したときに、迷光がこのカム溝に進入するのを防止するレンズ鏡筒の遮光構造。
【請求項９】
請求項７または８記載のレンズ鏡筒の遮光構造において、上記遮光リブまたは遮光サブ突起は、上記レンズ鏡筒がワイド端撮影状態のときに、上記カム環のカム溝と周方向位置が一致するレンズ鏡筒の遮光構造。
【発明の詳細な説明】
【技術分野】
【０００１】
本発明は、その外周面にＦＰＣ挿入溝を有し、環状部材の内側で相対回動しながら進退する進退筒を備えたレンズ鏡筒の遮光構造に関する。
【０００２】
レンズ鏡筒では、環状部材の内側に、該環状部材と相対回動しながら光軸方向に進退する進退筒を位置させ、この進退筒の外周面に、光軸と平行な方向のＦＰＣ挿入（ガイド）溝を形成することが行われている。ＦＰＣ挿入溝には、例えば進退筒に支持したシャッタ、絞り等の電気部品と進退筒とは別部材に設けられた制御基板を接続するＦＰＣの一部が挿入される。
【０００３】
このＦＰＣ挿入溝は、その機能上、進退筒の前後端部に達するのが普通である。つまり、進退筒に搭載される電気部品と制御基板とを接続するＦＰＣは、その両端部に接続部を有し、中間を進退筒の外周面に這わせているため、ＦＰＣ挿入溝は進退筒の全長に渡って光軸方向と平行に形成されている。しかし、進退筒の外周面に光軸と平行なＦＰＣ挿入溝を形成すると、その挿入溝が迷光の光路となる可能性がある。特に、環状部材がその内周面にカム溝を有するカム環の場合、カム環と進退筒の特定の回転方向及び特定の光軸方向の位置関係において、カム溝からＦＰＣ挿入溝へ、あるいはＦＰＣ挿入溝からカム溝へ至る迷光光路が完成しやすい。
【先行技術文献】
【特許文献】
【０００４】
【特許文献１】特開２００５-４２２７号公報
【特許文献２】特開平７-２１８７９９号公報
【発明の概要】
【発明が解決しようとする課題】
【０００５】
ＦＰＣ挿入溝からの迷光進入の問題は、従来から認識されており、例えば、ＦＰＣ挿入溝の前端部に、別部材としての遮光部材（シート）を貼付することが提案されている（特許文献１）。しかしながら、別部材としての遮光部材は、部品コスト、部品管理コスト、組立コストのいずれをとっても不利である。
【０００６】
本発明は従って、その外周面にＦＰＣ挿入溝を有し、環状部材の内側で進退する進退筒を備えたレンズ鏡筒において、別部材を要することなく、そのＦＰＣ挿入溝からの迷光の進入を防止できるレンズ鏡筒の遮光構造を得ることを目的とする。
【課題を解決するための手段】
【０００７】
本発明のレンズ鏡筒の遮光構造は、環状部材と、外周面にＦＰＣ挿入溝を有し、上記環状部材の内側で相対回動しながら進退する合成樹脂の成形品からなる進退筒と、上記ＦＰＣ挿入溝に挿入されたＦＰＣと、を有するレンズ鏡筒において、上記進退筒には、上記ＦＰＣ挿入溝の前端部に位置させて、光軸方向から見たとき該ＦＰＣ挿入溝の前方に位置する遮光リブが一体に形成されていることを特徴としている。
【０００８】
上記遮光リブは、一実施形態では、周方向の一端部が上記進退筒に一体に結合された片持ち梁形式の片持ち遮光リブから構成することができ、この片持ち遮光リブの後面とＦＰＣ挿入溝の前方端面の前方端面との間に、ＦＰＣ導入スリットを形成する。上記進退筒の前端部には、上記片持ち遮光リブの自由端側に位置させて、光軸方向から見たとき上記ＦＰＣ挿入溝の前方に位置する遮光サブ突起を形成することが好ましい。
【０００９】
上記遮光リブは、別の実施形態では、両端部が上記進退筒と一体に形成された両持ち遮光リブから構成することができ、この両持ち遮光リブの後面と上記ＦＰＣ挿入溝の前端部との間には、上記進退筒を径方向に貫通したＦＰＣ導入穴を形成する。
【００１０】
上記遮光リブの進退筒の径方向の最大径は、上記進退筒の最大径と同一径以下であり、上記ＦＰＣ挿入溝の底壁の径より大径である。
【００１１】
上記環状部材は内周面にカム溝を有するカム環であり、このカム環の回転により、上記カム溝の軌跡に従って上記進退筒が光軸方向に移動される。
【００１２】
上記遮光リブまたは遮光サブ突起は、上記環状部材のカム溝と周方向位置が一致したときに、迷光がこのカム溝に進入するのを防止する。
【００１３】
上記遮光リブまたは遮光サブ突起は、上記レンズ鏡筒がワイド端撮影状態のときに、上記環状部材のカム溝と周方向位置が一致する。
【発明の効果】
【００１４】
本発明によれば、その外周面にＦＰＣ挿入溝を有し、環状部材の内側で相対回動しながら進退する進退筒を備えたレンズ鏡筒において、進退筒に一体に、ＦＰＣ挿入溝の前端部に位置させて、光軸方向から見たとき該ＦＰＣ挿入溝の前方に位置する遮光リブを一体に形成したから別部材としての遮光部材を要することなく、ＦＰＣ挿入溝からの迷光の進入を防止することができる。
【図面の簡単な説明】
【００１５】
【図１】本発明を適用したズームレンズ鏡筒の収納（沈胴）状態の縦断面図である。
【図２】同ズームレンズ鏡筒のワイド端撮影状態を上半に、テレ端撮影状態を下半に描いた縦断面図である。
【図３】同ズームレンズ鏡筒の分解斜視図である。
【図４】（Ａ）は同ズームレンズ鏡筒の別の部分の分解斜視図、（Ｂ）はＦＰＣ基板の要部拡大斜視図である。
【図５】（Ａ）、（Ｂ）はそれぞれ、同ズームレンズ鏡筒の２群支持筒（進退筒）の単体形状を示す、別の角度から見た斜視図である。
【図６】同ズームレンズ鏡筒の２群支持筒（進退筒）にシャッタを組み合わせ、同シャッタから出たＦＰＣ基板を２群支持筒（進退筒）のＦＰＣ挿入溝に挿入した状態を示す斜視図である。
【図７】２群支持筒（進退筒）を光軸方向前方から見た正面図である。
【図８】嵌合状態の２群支持筒（進退筒）とカム環（環状部材）を光軸方向前方から見た正面図である。
【図９】図８の切断線IV-IVに沿って切断した断面図である。
【図１０】嵌合状態の２群支持筒（進退筒）とカム環（環状部材）において、２群支持筒の片持ち遮光リブ、ＦＰＣとカム環の内周面のカム溝との位置関係を示した側面図である。
【図１１】同ズームレンズ鏡筒の２群支持筒（進退筒）単体の第２実施形態を示す斜視図である。
【図１２】同第２実施形態の２群支持筒（進退筒）の側面図である。
【発明を実施するための形態】
【００１６】
最初に図１ないし図４により、本発明を適用したズームレンズ鏡筒１０の主たる構成要素を説明する。図１は収納状態の縦断面図、図２は撮影状態におけるワイド端（上半）とテレ端（下半）を示す縦断面図、図３、図４は分解斜視図である。図２に示すように、撮影時におけるズームレンズ鏡筒１０の撮影光学系は、物体側から順に第１レンズ群Ｌ１、シャッタＳ（絞）、第２レンズ群Ｌ２、第３レンズ群Ｌ３、赤外線カットフィルタ等のフィルタ１１及びＣＣＤ、ＣＭＯＳ等の固体撮像素子１２からなっている。この撮影光学系の光軸をＺ１で示す。ズーミングは、第１レンズ群Ｌ１と第２レンズ群Ｌ２を撮影光軸Ｚ１方向に所定の軌跡で進退させることによって行い、フォーカシングは同方向への第３レンズ群Ｌ３の移動で行う。なお、以下の説明中で「光軸方向」は、撮影光軸Ｚ１と平行な方向を含み、「直進案内」は光軸方向の直進案内を意味する。また「前」、「後」は、被写体側、撮像面側をそれぞれ意味する。
【００１７】
ズームレンズ鏡筒１０は図示しないカメラボディ内に搭載されており、該カメラボディに対して固定される固定環１３と、この固定環１３の後部に固定される撮像素子ホルダ（固定部材）１４を備えている。上述のフィルタ１１と固体撮像素子１２は、この撮像素子ホルダ１４に固定されている。
【００１８】
固定環１３内には、第３レンズ群Ｌ３を保持するＡＦレンズ枠（３群枠）１７が光軸方向に直進移動可能に支持されている。ＡＦレンズ枠１７は、ＡＦモータ（図示せず）の駆動力によって、被写体距離情報に応じた光軸方向位置に移動される。ＡＦモータによる焦点調節機構は周知である。
【００１９】
固定環１３には、撮影光軸Ｚ１と軸線を平行にしたズームギヤ（ピニオン）２２が回転可能に支持されている。ズームギヤ２２は、固定環１３の内周面側に露出するように位置されており、ズームモータ及びギヤ列によって正逆に回転される。
【００２０】
固定環１３の内周面には、カム溝１３ａと、光軸と平行な直進案内溝１３ｂが形成されている。この固定環１３のカム溝１３ａにはヘリコイド環（第１進退筒）２５のフォロア突起２５ａが嵌まっており、直進案内溝１３ｂには、直進カム環２６の径方向突起２６ａが係合している。直進カム環２６はヘリコイド環２５の内周に位置していて、ヘリコイド環２５と相対回転は自在に光軸方向には一緒に移動するように結合されている。すなわち、直進カム環２６の外周面に形成した案内突起２６ｂは、ヘリコイド環２５の内周面に形成した周方向案内溝２５ｂに係合している。
【００２１】
ヘリコイド環２５の後端部外周には、上述のズームギヤ２２と噛み合うギヤ２５ｃが形成されていて、このヘリコイド環２５の内周面には、光軸と平行な回転伝達溝２５ｄが形成されている。直進カム環２６の内周に嵌めたカム環（回転部材）２７には径方向に突出するフォロア２７ａが設けられており、このフォロア２７ａは、直進カム環２６のカム溝２６ｃを貫通した後、ヘリコイド環２５の回転伝達溝２５ｄに嵌まっている。つまり、ズームギヤ２２を介してヘリコイド環２５が回転すると、フォロア２７ａを介してカム環２７に回転が伝達される。カム環２７の光軸方向の位置は、直進カム環２６の光軸方向の位置及びカム溝２６ｃの形状によって定まる。
【００２２】
カム環２７にはその外周面に、第１レンズ群Ｌ１とバリア２９を支持した第３進退筒３０の移動軌跡を定める外面カム溝２７ｃが形成され、内周面に、第２レンズ群Ｌ２を支持した２群支持筒（進退筒）３３の移動軌跡を定める内面カム溝２７ｄが形成されている。
【００２３】
他方、カム環２７の外周には、該カム環２７と相対回転は自在で光軸方向には一緒に移動する第２進退筒３２が同軸に位置している。この第２進退筒３２は、その外面に突出させた径方向突起３２ａを直進カム環２６の内周面に形成した直進案内溝２６ｄに嵌めて直進案内されており、第３進退筒３０は、その外面に突出させた径方向突起３０ａを第２進退筒３２内面の直進案内溝３２ｂに嵌めて直進案内されている。
【００２４】
また、カム環２７の内側に同軸に位置している２群支持筒３３の外面には、カム環２７の内面カム溝２７ｄに嵌まるフォロア３３ａが突出形成されている。カム環２７にはまた、相対回転は自在で光軸方向には一緒に移動するように直進案内環３４が結合されている。すなわち、図２に示すように、カム環２７の後端部内周に環状溝２７ｍが設けられ、直進案内環３４には、この環状溝２７ｍに相対回転自在に嵌まる突起３４ｎが設けられている。同様に、直進案内環３４の後端部外周に環状溝３４ｍが設けられ、カム環２７には、この環状溝３４ｍに相対回転自在に嵌まる突起２７ｎが設けられている。また、この直進案内環３４は、その径方向突起３４ａを直進カム環２６の直進案内溝２６ｄに嵌めて直進案内されており、この直進案内環３４の光軸平行腕３４ｂが２群支持筒３３の光軸平行案内溝３３ｂに嵌まって、２群支持筒３３を光軸方向に直進案内している。従って、カム環２７が回転すると、第３進退筒３０（第１レンズ群Ｌ１）、カム環２７（第２進退筒３２）及び２群支持筒３３（第２レンズ群Ｌ２）が光軸方向に進退する。
【００２５】
２群支持筒３３には、図４に分解状態で示すように、その前方に前述のシャッタＳが固定されており、後方（後面）には、カメラに加わる手ブレを相殺する方向に光軸直交面内で駆動される防振ベース４０が支持されている。第２レンズ群Ｌ２を支持した２群枠４２は、この防振ベース４０上の光軸と平行な軸４１を中心に揺動可能に支持されている。符号４３は２群支持筒３３との間に防振ベース４０を支持する防振カバーである。２群枠４２は、図２の撮影状態ではその第２レンズ群Ｌ２を撮影光軸Ｚ１上に保持し、図１の収納状態では撮影光軸Ｚ１から脱した収納位置に移動される。これらの防振機構及びレンズ群挿脱機構の詳細は公知であり、本発明の要旨と関係がないので、具体的な構成の説明を省略する。
【００２６】
以上のように、本実施形態のズームレンズ鏡筒は、２群支持筒（進退筒）３３がカム環（環状部材）２７の内側に位置し、該カム環２７と相対回転しながら光軸方向の収納位置と撮影位置との間で直進移動する。カム環２７の内径ｄと２群支持筒３３の外径Ｄは、両者の間に、相対回動に支障がない最小のクリアランスが生じるように設定されている。
【００２７】
合成樹脂材料の成形品からなる２群支持筒３３には、その前方筒状部内にシャッタＳが挿入支持されており、該シャッタＳにはＦＰＣ５０の一端部が接続（固定）されている。ＦＰＣ５０は、シャッタＳの環状の前面の一部に固定される円弧状部５１と、この円弧状部５１から後方に延びる後方延長部（ガイド溝挿入部）５２と、この後方延長部５２をさらに前後に折り返した折返部５３と、制御基板との接続部５４とを有している。後方延長部５２は、平面的に見て、幅広部５２ａと、この幅広部５２ａの前端の幅狭部５２ｂと、幅広部５２ａの幅狭部５２ｂ側の端部から側方（内方）に延びる側方折返部（側方突出部）５２ｃとを有している。本実施形態は、以上のＦＰＣ５０の後方延長部５２をガイド（支持）する構造を提案するものである。ＦＰＣ５０の折返部５３以下の構成は、２群支持筒３３の光軸方向移動量や周辺部材に応じて、該ＦＰＣ５０を柔軟に変形させるための構造であればよく、その形状構造は問わない。
【００２８】
一方、２群支持筒３３には、一つの光軸平行案内溝３３ｂに隣接させて、同光軸平行案内溝３３ｂと平行なＦＰＣ挿入溝３３ｄが形成されている。このＦＰＣ挿入溝３３ｄは、２群支持筒３３の外周面に同一深さに形成され、光軸方向の後方端部が開放（貫通）されており、平面的に見たとき、ＦＰＣ５０の幅広部５２ａに対応する幅ａ１の幅広部３３ｄ１と、幅狭部５２ｂに対応する幅ａ２の幅狭部３３ｄ２とを有している。幅狭部３３ｄ２は、遮光サブ突起３３ｆによって形成されている。この遮光サブ突起３３ｆの後面と幅広部３３ｄ１との間には、ＦＰＣ５０の側方折返部５２ｃが嵌る、幅広部３３ｄ１から周方向外側に突出するＦＰＣ収容凹部３３ｅが形成されている。ＦＰＣ収容凹部３３ｅは、幅広部３３ｄ１より深く形成されている。
【００２９】
２群支持筒３３にはさらに、ＦＰＣ挿入溝３３ｄ（幅狭部３３ｄ２、遮光サブ突起３３ｆ）の前方に位置させて、光軸方向から見たとき該ＦＰＣ挿入溝３３ｄの前方に位置する片持ち遮光リブ３３ｈが一体に形成されている。この片持ち遮光リブ３３ｈは、その後面と幅狭部３３ｄ２の前方端面及び遮光サブ突起３３ｆの前方端面との間に、ＦＰＣ導入スリット３３ｇを形成しながら、遮光サブ突起３３ｆとは反対側の周方向の端部が２群支持筒３３と一体に結合される片持ち梁状に成形されている。また、片持ち遮光リブ３３ｈと遮光サブ突起３３ｆの周方向の位置関係は、片持ち遮光リブ３３ｈの周方向の自由端部（先端部３３ｈ１）側に遮光サブ突起３３ｆが位置する（光軸方向から見て重なる）関係である。
【００３０】
片持ち遮光リブ３３ｈの径方向外周部は、光軸方向から見たとき、全体として、２群支持筒３３の外径Ｄ内に収まり、かつ、ＦＰＣ挿入溝３３ｄの底部より径方向外方に位置するように形状が設定されている。片持ち遮光リブ３３ｈの径方向内周部は、光軸方向から見たとき、ＦＰＣ挿入溝３３ｄの底部より径方向内方に位置するように形状が設定されている。片持ち遮光リブ３３ｈの先端部３３ｈ１は、光軸方向から見たとき円弧形状ではないが（図７、図８）、これは成形型（抜き型）の関係で設定されたものであり、理想的には２群支持筒３３の外径Ｄと同一径（の円弧形状）であるのがよい。
【００３１】
以上のＦＰＣ５０は、次のようにして、２群支持筒３３のＦＰＣ挿入溝３３ｄに嵌められる。後方延長部５２（幅狭部５２ｂ）をＦＰＣ導入スリット３３ｇから挿入し、ＦＰＣ挿入溝３３ｄの幅狭部３３ｄ２に位置させる。また、後方延長部５２の幅広部５２ａをＦＰＣ挿入溝３３ｄの幅広部３３ｄ１に位置させ、側方折返部５２ｃをＦＰＣ収容凹部３３ｅに位置させる。このように、ＦＰＣ５０を２群支持筒３３のＦＰＣ挿入溝３３ｄに嵌めるだけで、ＦＰＣ５０の２群支持筒３３に対する装着（引き回し）が完了する。このように、ＦＰＣ導入スリット３３ｇからＦＰＣ挿入溝３３ｄに嵌めた（収納した）ＦＰＣ５０は、両面テープ（図示せず）等により２群支持筒３３（ＦＰＣ挿入溝３３ｄ）に接着固定される。片持ち遮光リブ３３ｈは、先端部３３ｈ１と遮光サブ突起３３ｆとの間にＦＰＣ導入スリット３３ｇの切れ目（開口）を形成して、ＦＰＣ５０をこの切れ目からＦＰＣ導入スリット３３ｇに挿入可能にしているので、組立の際にＦＰＣ５０をこの切れ目からＦＰＣ挿入溝３３ｄ内に容易に挿入できる。ＦＰＣ導入スリット３３ｇに切れ目を設けているので、組み立て時にＦＰＣ５０を一旦切れ目に挿入すると、ＦＰＣ５０がバタつかず、ＦＰＣ５０をＦＰＣ挿入溝３３ｄ内に挿入しやすくなる。また、ＦＰＣ導入スリット３３ｇの光軸方向幅を狭くすると、片持ち遮光リブ３３ｈにＦＰＣ５０が前後方向に移動するのを防止する移動防止作用を持たせることができる。
【００３２】
この組立状態では、図７、図８、図９、図１０に明らかなように、片持ち遮光リブ３３ｈは、ＦＰＣ挿入溝３３ｄの光軸方向前方に位置しているので、ＦＰＣ挿入溝３３ｄに迷光が進入するのを防止することができる。また、片持ち遮光リブ３３ｈは、２群支持筒３３の最大外径Ｄ内に収まっているので、カム環２７に対する相対回転を妨げることがなく、カム環２７と２群支持筒３３の全相対回転角内で遮光の効果を得ることができる。
【００３３】
また、本実施形態では、カム環２７の内面に内面カム溝２７ｄが形成されているため、２群支持筒３３との周方向及び光軸方向の位置関係によっては、この内面カム溝２７ｄを介して迷光が進入する可能性が増す。しかし、片持ち遮光リブ３３ｈは、２群支持筒３３の外側の環状部材（つまりカム環２７）の内面に内面カム溝２７ｄ等の有底溝が存在する場合にも、迷光の進入を効果的に防止する（図９、図１０）。
【００３４】
特に、この実施形態では、２群支持筒３３がカム環２７に対して最も後方に位置するワイド端撮影状態において（図２の上半分、図９、図１０）、片持ち遮光リブ３３ｈが内面カム溝２７ｄと周方向位置が一致して径方向に対向または光軸方向後方に位置（第１レンズ群Ｌ１を通った迷光と内面カム溝２７ｄの間に位置）しているので、迷光の量が最も多いワイド端撮影状態において、迷光が内面カム溝２７ｄに進入するのを効果的に防止できる。例えば、迷光が内面カム溝２７ｄから第２レンズ群Ｌ２を通って固体撮像素子１２に入射するのを防止し、あるいは迷光が内面カム溝２７ｄからＦＰＣ挿入溝３３ｄを通って固体撮像素子１２に入射するのを防止するなど、迷光が内面カム溝２７ｄを介して固体撮像素子１２に入射するのを効果的に防止できる。すなわち、一般に迷光の量が最も多くなるのはレンズ間隔が最も広いときであり、この実施形態では第１レンズ群Ｌ１と第２レンズ群Ｌ２の距離が最も長いワイド時（図２の上半分、図９、図１０）に迷光の量が最も多くなる。
【００３５】
さらにこの実施形態では、ワイド端撮影状態において、遮光サブ突起３３ｆが片持ち遮光リブ３３ｈが遮光する内面カム溝２７ｄとは別の内面カム溝２７ｄと周方向位置が一致して径方向に対向または光軸方向後方に位置（第１レンズ群Ｌ１を通った迷光と別の内面カム溝２７ｄの間に位置）するので（図９、図１０）、迷光が別の内面カム溝２７ｄに進入するのを効果的に防止できる。
【００３６】
以上の第１実施形態では、遮光リブを片持ち梁形式の片持ち遮光リブ３３ｈとしたが、図１１及び図１２は、遮光リブを、両端部が２群支持筒３３と一体に形成された両持ち遮光リブ３３ｉとした実施形態である。図１１及び図１２では、図５乃至図１０の第１実施形態と同一の部材には同一の符号を付している。両持ち遮光リブ３３ｉは、片持ち遮光リブ３３ｈと同様に、ＦＰＣ挿入溝３３ｄ及び遮光サブ突起３３ｆの前方に位置しており、その後面とＦＰＣ挿入溝３３ｄ及び遮光サブ突起３３ｆの前端部との間に、２群支持筒３３を径方向に貫通するＦＰＣ導入穴（貫通穴）３３ｊが形成されている。
【００３７】
両持ち遮光リブ３３ｉは、片持ち遮光リブ３３ｈと同様に、光軸方向から見たとき、全体として、２群支持筒３３の外径Ｄ内に収まり、かつ、ＦＰＣ挿入溝３３ｄの底部より径方向外方に位置するように形状が設定されている。両持ち遮光リブ３３ｉの径方向内周部は、光軸方向から見たとき、ＦＰＣ挿入溝３３ｄの底部より径方向内方に位置するように形状が設定されている。ＦＰＣ導入穴３３ｊの周方向長及び光軸方向（前後）長は、ＦＰＣ５０の柔軟性を考慮し、ＦＰＣ５０の接続部５４、折返部５３、及び後方延長部５２（幅広部５２ａ、側方折返部５２ｃ）が順に挿通されて、幅狭部５２ｂが位置可能な形状、大きさに形成されている。ＦＰＣ５０は、ＦＰＣ導入穴３３ｊに挿通された後、後方延長部５２（幅広部５２ａ、側方折返部５２ｃ）が、ＦＰＣ挿入溝３３ｄの底部に、両面テープ等により接着固定される。
【００３８】
以上の第１、第２実施形態では、ＦＰＣ５０の後方延長部５２が幅広部５２ａと幅狭部５２ｂを有しており、このため、２群支持筒３３のＦＰＣ挿入溝３３ｄには、幅広部３３ｄ１と幅狭部３３ｄ２（遮光サブ突起３３ｆ）を設けたが、後方延長部５２が一定幅であって遮光サブ突起３３ｆを設けない場合でも、片持ち遮光リブ３３ｈ、両持ち遮光リブ３３ｉによって、確実に迷光進入防止効果を得ることができる。遮光サブ突起３３ｆを設けない場合、第１実施形態の片持ち遮光リブ３３ｈは、光軸方向前方から見て、片持ち遮光リブ３３ｈの輪郭内にＦＰＣ挿入溝３３ｄが納まるように形成することが好ましい。
【００３９】
さらに、以上の第１、第２実施形態では、ＦＰＣ５０の後方延長部５２が側方折返部５２ｃを有し、２群支持筒３３が、側方折返部５２ｃを収容するために、ＦＰＣ収容凹部３３ｅを有しているが、側方折返部５２ｃは必須でなく、従ってＦＰＣ収容凹部３３ｅも必須でない。
【００４０】
以上の第１、第２実施形態では、２群支持筒３３が光軸方向に直進移動する進退筒であり、カム環２７がこの進退筒に対して回転する環状部材であるが、２群支持枠３３とカム環２７は、一方が回転運動しながら光軸方向に進退し、他方がその回転運動に伴って光軸方向に移動する部材であれば、本発明は成立する。
【符号の説明】
【００４１】
Ｚ１ 撮影光軸
Ｌ２  第２レンズ群
１０  ズームレンズ鏡筒
２６  直進カム環
２７  カム環（環状部材）
２７ｄ  内面カム溝（カム溝）
３３  ２群支持筒（進退筒）
３３ａ  フォロア
３３ｂ  光軸平行案内溝
３３ｄ  ＦＰＣ挿入溝
３３ｄ１  幅広部
３３ｄ２  幅狭部
３３ｅ  ＦＰＣ収容凹部
３３ｆ  遮光サブ突起
３３ｇ  ＦＰＣ導入スリット
３３ｈ  片持ち遮光リブ（遮光リブ）
３３ｉ  両持ち遮光リブ（遮光リブ）
３３ｊ  ＦＰＣ導入穴
５０  ＦＰＣ
５１  円弧状部
５２  後方延長部
５２ａ  幅広部
５２ｂ  幅狭部
５２ｃ  側方折返部
５３  折返部
５４  接続部
Ｓ  シャッタ
【図１】
0005872326.tif 000002
【図２】
0005872326.tif 000003
【図３】
0005872326.tif 000004
【図４】
0005872326.tif 000005
【図５】
0005872326.tif 000006
【図６】
0005872326.tif 000007
【図７】
0005872326.tif 000008
【図８】
0005872326.tif 000009
【図９】
0005872326.tif 000010
【図１０】
0005872326.tif 000011
【図１１】
0005872326.tif 000012
【図１２】
0005872326.tif 000013